(57)【要約】      （修正有）【課題】煩雑な作業を必要とすることなく、安価に栽培物に対する照明灯の高さを調整することができる植物栽培用照明装置を提供する。【解決手段】栽培床３の植物４に対して光を照射する照明灯５５ａ、５５ｂ、５６ａ、５６ｂと、栽培床の上方に配置され、栽培床との対向面に照明灯を支持する一対のフレーム５１、５２と、一対のフレームにそれぞれ固定される光反射シート５３、５４と、一対のフレームをそれぞれ吊り下げる吊下部材５７、５８とを備え、一対のフレームは、各フレームの外側部分が栽培床に対して接近又は離間するように内側端部が回動可能に連結され、吊下部材は、各フレームの中央部よりも一対のフレームの連結部分側の位置で各フレームを吊り下げる構成とした。【選択図】図１
2018201443.tif 000002
【特許請求の範囲】
【請求項１】
栽培床の栽培物に対して光を照射する照明灯と、
前記栽培床の上方に並べて配置され、前記栽培床との対向面に前記照明灯を支持する一対の枠体と、
前記一対の枠体にそれぞれ固定される光反射シートと、
前記一対の枠体をそれぞれ吊り下げる吊下部材と、
を具備し、
前記一対の枠体は、各枠体の外側部分が前記栽培床に対して接近又は離間するように内側端部が回動可能に連結され、
前記吊下部材は、前記各枠体の中央部よりも前記一対の枠体の連結部分側の位置で前記各枠体を吊り下げることを特徴とする植物栽培用照明装置。
【請求項２】
前記光反射シートは、前記一対の枠体の連結部分側から外側部分に向けて第１の角度にて下方側に傾斜する第１傾斜面を有することを特徴とする請求項１に記載の植物栽培用照明装置。
【請求項３】
前記光反射シートは、前記各枠体の外側端部よりも外側に突出し、当該突出部分は前記第１の角度よりも大きな第２の角度にて下方側に傾斜する第２傾斜面を有することを特徴とする請求項２に記載の植物栽培用照明装置。
【請求項４】
前記一対の枠体は、トルクヒンジを介して前記連結部分で連結されることを特徴とする請求項１から請求項３のいずれかに記載の植物栽培用照明装置。
【請求項５】
前記一対の枠体のうち、一方の枠体には係合部が設けられ、他方の枠体には前記係合部を収容する支持溝部が設けられ、
前記支持溝部は、段階的に前記一方の枠体の角度を変えて支持する形状を有することを特徴とする請求項１から請求項３のいずれかに記載の植物栽培用照明装置。
【請求項６】
前記光反射シートは、前記第１傾斜面における前記各枠体の外側端部近傍に通気孔を有することを特徴とする請求項３から請求項５のいずれかに記載の植物栽培用照明装置。
【請求項７】
前記各枠体は、当該各枠体の外側端部近傍に前記照明灯を支持し、
前記通気孔は、前記照明灯の支持部分よりも上方側の位置に形成されることを特徴とする請求項６に記載の植物栽培用照明装置。
【請求項８】
前記第１傾斜面には、前記通気孔を介して前記光反射シートの上方側に漏れる前記照明灯からの光を前記光反射シートの下方側に反射する反射部を有することを特徴とする請求項７に記載の植物栽培用照明装置。
【発明の詳細な説明】
【技術分野】
【０００１】
本発明は、植物栽培用照明装置に関する。
【背景技術】
【０００２】
近年、閉鎖された空間の中で、蛍光灯やＬＥＤなどの人工光で野菜を作る人工光型植物工場が注目されている。人工光型植物工場では、気候や天候に関係なく、一年中安定して野菜を作ることや、都市部のビルなど、土のない場所や狭い場所でも野菜を作ることができるという利点を有している。
【０００３】
従来、このような人工光型植物工場において、栽培物の種類や成長等に合わせて照明灯の最適なピッチを選択し、栽培物の種類や成長等に応じた照明を行う植物栽培の照明装置が提案されている（例えば、特許文献１参照）。この植物栽培の照明装置においては、照明灯を支持する支持部材を、水平配置されたガイドレールに沿って摺動可能とすることで、栽培物等に対する照明灯のピッチが変更可能に構成されている。
【先行技術文献】
【特許文献】
【０００４】
【特許文献１】特許第５０９５３４８号明細書
【発明の概要】
【発明が解決しようとする課題】
【０００５】
ところで、人工光型植物工場においては、栽培物の種類や成長過程に応じて、栽培物と照明灯との距離を調整することが要請されている。上述した特許文献１の照明装置において、ガイドレールを含む枠体は、チェーン等の吊り紐により架台に高さ調整可能に吊り下げられる。この照明装置では、架台に対する吊り紐の長さを調整し、或いは、手動ハンドルやモータで吊り紐を巻き上げることで、栽培物に対する照明灯の高さを調整可能に構成されている。
【０００６】
しかしながら、照明灯全体の荷重を支持する吊り紐の長さ調整は、作業者への負担が大きく、作業が煩雑になるという問題がある。また、手動ハンドルやモータで吊り紐を巻き上げる高さ調整機構の採用は、当該機構にコストを要し、照明装置全体の製造コストが高価となるという問題がある。煩雑な作業に起因する人件費の上昇や、照明装置の製造コストの上昇は、栽培物の販売単価に反映されることとなり、結果として植物工場の健全な運営を圧迫することとなる。
【０００７】
本発明は、このような問題点に鑑みてなされたものであり、煩雑な作業を必要とすることなく、安価に栽培物に対する照明灯の高さを調整することができる植物栽培用照明装置の提供を目的とする。
【課題を解決するための手段】
【０００８】
本発明の植物栽培用照明装置は、栽培床の栽培物に対して光を照射する照明灯と、前記栽培床の上方に並べて配置され、前記栽培床との対向面に前記照明灯を支持する一対の枠体と、前記一対の枠体にそれぞれ固定される光反射シートと、前記一対の枠体をそれぞれ吊り下げる吊下部材と、を具備し、前記一対の枠体は、各枠体の外側部分が前記栽培床に対して接近又は離間するように内側端部が回動可能に連結され、前記吊下部材は、前記各枠体の中央部よりも前記一対の枠体の連結部分側の位置で前記各枠体を吊り下げることを特徴とする。
【発明の効果】
【０００９】
本発明によれば、煩雑な作業を必要とすることなく、安価に栽培物に対する照明灯の高さを調整することができる。
【図面の簡単な説明】
【００１０】
【図１】第１の実施の形態に係る植物栽培用照明装置の一例である照明ユニットを含む植物栽培システムの全体構成を示す正面図である。
【図２】第１の実施の形態に係る照明ユニットの斜視図である。
【図３】第１の実施の形態に係る照明ユニットの正面図及び部分拡大図である。
【図４】第１の実施の形態に係る植物栽培システムにおける照明ユニットの状態の説明図である。
【図５】図４に示す実線Ａ−Ａで示す栽培床の表面における照度分布の説明図である。
【図６】第１の実施の形態に係る照明ユニットの連結部分の変形例の説明図である。
【図７】第２の実施の形態に係る照明ユニットの斜視図である。
【図８】第２の実施の形態に係る照明ユニットの照明灯近傍を拡大した模式図である。
【図９】第３の実施の形態に係る照明ユニットの斜視図及び部分拡大図である。
【図１０】第３の実施の形態に係る照明ユニットの照明灯近傍を拡大した模式図である。
【発明を実施するための形態】
【００１１】
以下、本実施の形態について添付図面を参照して詳細に説明する。なお、以下においては、特に明示する場合を除き、図１に示す上下左右方向を本発明に係る植物栽培用照明装置（以下、単に「照明装置」という）の上下左右方向とし、図２Ａに示す前後方向を本発明に係る照明装置の前後方向として説明するものとする。
【００１２】
（第１の実施の形態）
図１は、第１の実施の形態に係る照明装置の一例である照明ユニット５を含む植物栽培システム１の全体構成を示す正面図である。図１に示すように、植物栽培システム１は、植物栽培用のラック２に載置された栽培床３の植物（栽培物）４に対し、照明ユニット５で光を照射するものである。例えば、植物栽培システム１は、閉鎖された空間の中で、蛍光灯やＬＥＤなどの人工光で野菜を作る人工光型植物工場に設置される。
【００１３】
ラック２は、例えば、金属製のフレームを組み立てることで構成される。ラック２は、上下方向に延びるように配置される複数（例えば、４本）の支柱部２１と、これら支柱部２１の所定位置にナット等の締結部材で固定される支持面部２２及び天面部２３とを含んで構成される。ここでは、単一のラック２について示すが、植物栽培システム１が設置される人工光型植物工場の規模に応じて複数配列することができる。
【００１４】
支持面部２２は、植物栽培システム１の作業者が作業し易い高さ位置に固定される。天面部２３は、支持面部２２から上方側に所定距離離れた高さ位置に固定される。例えば、天面部２３は、植物栽培システム１で栽培する植物４の発育を規制しない位置に照明ユニット５を配置できる高さ位置に固定される。支持面部２２及び天面部２３の高さ位置は、作業者による作業性及び栽培される植物４の種類等に応じて任意に変更することができる。
【００１５】
栽培床３は、支持面部２２上に載置される。例えば、栽培床３は、植栽パネルを浮かべる水槽で構成される。図１に示す植物栽培システム１では、ラック２に支持面部２２を一段設け、その上に栽培床３を載置する場合について示している。しかしながら、ラック２に設けられる支持面部２２の数や、それに載置される栽培床３の数は、任意に変更することができる。例えば、栽培床３は、発泡スチロールに水を満たして構成されるが、栽培対象となる植物４の種類によっては、発砲スチロールに水耕栽培用ロックウールを収容してもよい。
【００１６】
植物４は、栽培床３で栽培される。植物４として、例えば、レタスなどの葉物野菜が栽培されるが、これに限定されるものではない。また、図１に示す植物栽培システム１では、単一種類の植物４を栽培する場合について示している。しかしながら、栽培対象となる植物４は、栽培環境等に応じて複数種類の植物４を栽培することができる。この場合には、異なる種類の植物４の栽培に必要な栽培状況を作り出すことが求められる。
【００１７】
照明ユニット５は、一対のフレーム（枠体）５１、５２と、各フレーム５１、５２にそれぞれ固定される光反射シート５３、５４（詳細について図２参照）と、各フレーム５１、５２に支持される複数（本実施の形態では２本）の照明灯５５（５５ａ、５５ｂ）、５６（５６ａ、５６ｂ）と、一対のフレーム５１、５２をそれぞれ吊り下げる一対の吊下部材５７、５８とを含んで構成される。
【００１８】
ここで、本実施の形態に係る照明ユニット５の構成について、図２及び図３を参照して説明する。図２は、第１の実施の形態に係る照明ユニット５の斜視図である。図２Ａでは照明ユニット５を上方側から示し、図２Ｂでは照明ユニット５を下方側から示している。図３は、第１の実施の形態に係る照明ユニット５の正面図及び部分拡大図である。図３Ｂでは図３Ａに示す破線部分を拡大して示している。なお、図３Ａでは、説明の便宜上、後述する電源供給部６０を省略している。
【００１９】
図１に示すように、一対のフレーム５１、５２は、栽培床３の上方に配置され、正面視にて左右方向に並べて配置される。フレーム５１は、図２及び図３に示すように、概して照明ユニット５の左右方向に延びる一対の枠部５１１、５１２と、これらの枠部５１１、５１２を連結する一対の連結部５１３、５１４とを有する。
【００２０】
枠部５１１は、照明ユニット５の前端部に配置され、枠部５１２は、照明ユニット５の後端部に配置される。枠部５１１、５１２は、照明ユニット５の前後方向に一定距離空けて、左右方向に平行に延びている。枠部５１１、５１２の右方側端部近傍には、屈曲部５１１ａ、５１２ａが形成されている。屈曲部５１１ａ、５１２ａは、フレーム５１、５２の左方側部分の延伸方向から僅かに下方側に屈曲している。なお、枠部５１１、５１２は、中空体で構成され、軽量化が図られている。
【００２１】
連結部５１３、５１４は、枠部５１１、５１２の上面に固定されている。連結部５１３は、枠部５１１、５１２の左方側端部に配置され、連結部５１４は、枠部５１１、５１２の右方側端部近傍（より具体的には、屈曲部５１１ａ、５１２ａより僅かに左方側の位置）に配置されている。連結部５１４は、少なくともフレーム５１の左右方向の中央部よりもフレーム５２との連結部分側に配置される。連結部５１３、５１４は、照明ユニット５の左右方向に一定距離空けて、前後方向に平行に延びている。連結部５１３、５１４は、フレーム５１の補強部材としての機能を有する。
【００２２】
連結部５１３、５１４は、平板形状を有する金属板を正面視にてＬ字型に折り曲げ加工を施して形成される（図２Ａ参照）。連結部５１３、５１４は、正面視にて水平面の前端部及び後端部で枠部５１１、５１２に固定され、この水平面に対して直交して垂直面が起立している。連結部５１４の起立面には、照明ユニット５の前後方向に複数の吊下孔５１４ａが形成されている。
【００２３】
枠部５１１の屈曲部５１１ａと、枠部５１２の屈曲部５１２ａとの間には、平面部５１５が設けられている。平面部５１５は、平板形状を有する金属板に折り曲げ加工を施して形成される。平面部５１５は、照明ユニット５の左右方向に一定の幅を有し、前後方向に延びて屈曲部５１１ａ、５１２ａに固定されている。図３Ｂに示すように、平面部５１５の右方側端部には、折り曲げ部５１５ａが形成されている。折り曲げ部５１５ａには、後述するトルクヒンジ５９が取り付けられる。
【００２４】
フレーム５２は、構成部材の配置を除き、フレーム５１と同様の構成を有する。すなわち、フレーム５２は、照明ユニット５の前後方向に一定距離空けて左右方向に平行に延びる枠部５２１、５２２と、枠部５２１、５２２の端部近傍を連結する一対の連結部５２３、５２４とを有する。連結部５２４の起立面には、複数の吊下孔５２４ａが形成されている。枠部５２１、５２２の左方側端部近傍には、屈曲部５２１ａ、５２２ａが形成されており、屈曲部５２１ａ、５２２ａとの間に平面部５２５が設けられている。平面部５２５の左方側端部には、折り曲げ部５２５ａが形成され、後述するトルクヒンジ５９が取り付けられる。
【００２５】
枠部５１１、５１２の左方側端部近傍の下面には、照明灯５５ａが支持されている。また、枠部５１１、５１２の右方側端部近傍の下面には、照明灯５５ｂが支持されている。これらの照明灯５５ａ、５５ｂは、枠部５１１、５１２の下面に固定されたソケットに支持され、照明ユニット５の前後方向に延在して配置されている。同様に、枠部５２１、５２２の右方側端部近傍の下面には、照明灯５６ａが支持されている。また、枠部５２１、５２２の左方側端部近傍の下面には、照明灯５６ｂが支持されている。これらの照明灯５６ａ、５６ｂは、枠部５２１、５２２の下面に固定されたソケットに支持され、照明ユニット５の前後方向に延在して配置されている。
【００２６】
例えば、照明灯５５（５５ａ、５５ｂ）、５６（５６ａ、５６ｂ）は、蛍光灯やＬＥＤで構成されるが、これらに限定されない。これらの照明灯５５、５６は、栽培床３の植物４に対して光を照射する。これらの照明灯５５、５６は、図示していない別置きの電源供給部から電源供給を受ける。電源供給部は、例えば、インバータ等で構成されるが、発熱を伴うため栽培環境から遠ざけることが望ましく、任意の場所に分離、別置きされている。なお、本実施の形態では、フレーム５１、５２にそれぞれ一対の照明灯５５、照明灯５６を支持する場合について説明しているが、植物４が生育に必要な光量を供給することを条件として任意の数に変更可能である。
【００２７】
フレーム５１には、光反射シート５３が固定されている。例えば、光反射シート５３は、枠部５１１、５１２及び連結部５１３、５１４の所定位置に貼付することで固定される。光反射シート５３は、照明灯５５（５５ａ、５５ｂ）の背面側（上方側）を通るようにフレーム５１に配置される。これにより、照明灯５５から発される光の集光効率を高めることができる。光反射シート５３には、光反射機能を有する微細発泡樹脂シートを使用することができる。
【００２８】
光反射シート５３には、正面視にて枠部５１１、５１２（屈曲部５１１ａ、５１２ａを除く）と平行に配置される第１傾斜面５３１と、この第１傾斜面５３１の左方側に連続して形成される第２傾斜面５３２と、第１傾斜面５３１の右方側に連続して形成される第３傾斜面５３３とを有している。第２傾斜面５３２は、フレーム５１の外側端部（すなわち、連結部５１３の左方側端部）よりも外側（左方側）に突出して配置される。第３傾斜面５３３は、照明灯５５ｂよりも内側（右方側）に突出して配置される。
【００２９】
第１傾斜面５３１は、詳細について後述するように、フレーム５１、５２が連結された状態において、連結部分側から外側（左方側）に向かって緩やかな角度（第１角度）で下方側に傾斜している。第２傾斜面５３２は、第１傾斜面５３１よりも大きな角度（第２角度）で下方側に傾斜している。同様に、第３傾斜面５３３は、第１傾斜面よりも大きな角度で下方側に傾斜している。第２傾斜面５３２は、照明灯５５ａから照明ユニット５の外側（左方側）に漏れ出ようとする光を内側（より具体的には、栽培床３側）に反射させる役割を果たす。同様に、第３傾斜面５３３は、照明灯５５ｂからフレーム５１の外側（右方側）に進もうとする光を内側に反射させる役割を果たす。
【００３０】
同様に、フレーム５２には、光反射シート５４が固定されている。光反射シート５４は、照明灯５６（５６ａ、５６ｂ）の背面側（上方側）を通るようにフレーム５２に配置される。光反射シート５４には、光反射シート５３と同様に、第１傾斜面５４１、第２傾斜面５４２及び第３傾斜面５４３が形成されている。第２傾斜面５４２は、照明灯５６ａから照明ユニット５の外側（右方側）に漏れ出ようとする光を内側（より具体的には、栽培床３側）に反射させ、第３傾斜面５４３は、照明灯５６ｂからフレーム５２の外側（左方側）に進もうとする光を内側に反射させる役割を果たす。
【００３１】
フレーム５１の右方側端部と、フレーム５２の左方側端部とは、一対のトルクヒンジ５９により連結されている（図３参照）。一対のトルクヒンジ５９は、照明ユニット５の前後方向に離間して配置されている。これらのトルクヒンジ５９が、フレーム５１の平面部５１５とフレーム５２の平面部５２５とを連結することにより、フレーム５１、５２は、それぞれの外側部分（フレーム５１における左方側端部、フレーム５２における右方側端部）が栽培床３に対して接近又は離間するように回動可能に連結される。
【００３２】
図３Ｂに示すように、トルクヒンジ５９は、軸部５９１と、この軸５９１に対して摺動回転する一対のプレート部５９２、５９３とを有し、プレート５９２、５９３が回転する際に摩擦力を発生する。この摩擦力により所望の位置でプレート５９２、５９３を停止させることができる。プレート５９２が平面部５１５の一部に対してビス止めされる一方、プレート５９３が平面部５２５の一部にビス止めされる。このようにトルクヒンジ５９で連結されることにより、フレーム５１、５２が所望の角度で停止可能に構成される。
【００３３】
吊下部材５７、５８は、このように連結された状態のフレーム５１、５２をそれぞれ吊り下げる（図１参照）。吊下部材５７、５８は、上端部がラック２の天面部２３に係止される。吊下部材５７、５８の下端部には、フック部が設けられている。吊下部材５７のフック部がフレーム５１の連結部５１４の吊下孔５１４ａ（図２Ａ参照）に引っ掛けられる一方、吊下部材５８のフック部がフレーム５２の連結部５２４の吊下孔５２４ａ（図２Ａ参照）に引っ掛けられることで、フレーム５１、５２が天面部２３に吊り下げられる。なお、吊下部材５７、５８は、天面部２３から垂下した状態でフレーム５１、５２を吊り下げることが好ましい。
【００３４】
なお、吊下部材５７、５８は、フレーム５１、５２を照明ユニット５の前後方向に傾きなく吊り下げることを前提として、それぞれ１つ又は複数配置される。図２に示す連結部５１４、５２４の吊下孔５１４ａ、５２４ａの全てを吊り下げる構成としてもよい。この場合、吊下部材５７は、フレーム５１の左右方向の中央部よりもフレーム５２との連結部分（トルクヒンジ５９）側の位置でフレーム５１を吊り下げる。同様に、吊下部材５８は、フレーム５２の左右方向の中央部よりもフレーム５１との連結部分（トルクヒンジ５９）側の位置でフレーム５２を吊り下げる。
【００３５】
このように構成された植物栽培システム１においては、照明ユニット５のフレーム５１、５２を引き下げ、或いは、引き上げることにより、植物４に対する照明灯５５、５６の高さ位置を所望の位置に配置した状態で植物４に対して光を照射することができる。例えば、照明ユニット５のフレーム５１、５２は、植物栽培システム１を管理する管理者により直接的に手で引き下げられ、或いは、引き上げられる。
【００３６】
ここで、管理者がフレーム５１の左方側端部を把持して引き下げた場合における照明ユニット５の動作について具体的に説明する。フレーム５１の左方側端部が引き下げられると、把持された左方側端部が力点となる一方、吊下部材５７で吊り下げられた吊下孔５１４ａの一部が支点となる結果、フレーム５１の右方側端部（すなわち、フレーム５２との連結部分）を持ち上げる力が作用する。この場合、支点となる吊下孔５１４ａが作用点となるフレーム５１、５２の連結部分に近い位置に配置されることから、てこの原理により、小さな力でフレーム５１におけるフレーム５２との連結部分を持ち上げることができる。
【００３７】
フレーム５１の右方側端部にはフレーム５２の右方側端部が連結されるため、フレーム５１の右方側端部が持ち上げられると、フレーム５２の左方側端部が持ち上げられる。これにより、吊下部材５８で吊り下げられた吊下孔５２４ａの一部を支点としてフレーム５２が時計回り方向に回動し、その右方側端部が下降する。このとき、フレーム５２の右方側端部の位置は、管理者により引き下げられたフレーム５１の左方側端部と同一の高さ位置に配置される。
【００３８】
以下、本実施の形態に係る植物栽培システム１における照明ユニット５の状態について、図４を参照して説明する。図４は、第１の実施の形態に係る植物栽培システム１における照明ユニット５の状態の説明図である。なお、図４においては、説明の便宜上、電源供給部６０を省略する。
【００３９】
図４Ａにおいては、照明ユニット５のフレーム５１、５２を最も引き上げた状態を示している。図４Ａに示すように、フレーム５１、５２を最も引き上げた状態では、屈曲部５１１ａ（５１２ａ）、５２１ａ（５２２ａ）の外側端部を頂点とする一方、その内側部分及び外側部分が僅かに下方側に傾斜した状態とされる。このとき、光反射シート５３、５４の第１傾斜面５３１、５４１は、フレーム５１、５２と実質的に平行となり、緩やかに傾斜した状態で配置される。したがって、外側に支持された照明灯５５ａ、５６ａは、内側に支持された照明灯５５ｂ、５６ｂよりも僅かに低い位置に配置される。また、第２傾斜面５３２、５４２は、それぞれ照明灯５５ａ、５６ａからの光を下方側に反射させる角度に傾斜した状態とされる。
【００４０】
図４Ｂにおいては、照明ユニット５のフレーム５１、５２を最も引き下げた状態を示している。図４Ｂに示すように、フレーム５１、５２を最も引き下げた状態では、屈曲部５１１ａ（５１２ａ）、５２１ａ（５２２ａ）が概して水平状態となる一方、その外側部分が、図４Ａに示す状態よりも大きく下方側に傾斜した状態とされる。このとき、光反射シート５３、５４の第１傾斜面５３１、５４１は、フレーム５１、５２と実質的に平行となり、同一角度で傾斜した状態で配置される。したがって、外側に支持された照明灯５５ａ、５６ａは、内側に支持された照明灯５５ｂ、５６ｂよりも栽培床３側（下側）に接近した状態で配置される。また、第２傾斜面５３２、５４２は、それぞれ照明灯５５ａ、５６ａからの光を、図４Ａに示す状態よりも栽培床３の内側に反射させる角度に傾斜した状態とされる。
【００４１】
ここで、図４Ａ、Ｂに示す照明ユニット５における照度分布について説明する。図５は、図４に示す実線Ａ−Ａで示す栽培床３の表面における照度分布の説明図である。図５Ａでは、図４Ａに示す照明ユニット５における照度分布を示し、図５Ｂでは、図４Ｂに示す照明ユニット５における照度分布を示している。図５においては、縦軸の照明灯５５、５６から照射される光の強度（照度）を示し、横軸に実線Ａ−Ａ上の位置を示している。なお、図５においては、説明の便宜上、照明灯５５（５５ａ、５５ｂ）、５６（５６ａ、５６ｂ）の位置を示している。また、図５においては、各照明灯５５、５６からの光の照度分布を一点鎖線で示し、光反射シート５３、５４の第２傾斜面５３２、５４２からの反射光の照度分布を破線で示し、照明灯５５、５６及び第２傾斜面５３２、５４２からの光の全体の照度分布を実線で示している。
【００４２】
まず、図５Ａに示す照明灯５５ａ、５５ｂから照射される光を参照して、光の照度と照射幅との関係について説明する。図５Ａに示すように、照明灯５５ａ、５５ｂからの光は、それぞれ照明灯５５ａ、５５ｂの直下で照度が最大となり、直下部分から照明ユニット５の左右方向に均等な照射幅を有している。図５Ａでは、照明灯５５ａ、５５ｂからの光の照度の最大値Ｉをそれぞれ「Ｉａ１」、「Ｉｂ１」と示し、照明灯５５ａ、５５ｂからの光の照射幅Ｗを「Ｗａ１」、「Ｗｂ１」と示している。
【００４３】
照明灯５５、５６からの光の照度の最大値Ｉ及び照射幅Ｗは、照明灯５５、５６の高さ位置ｈに応じて変動する。すなわち、照明灯５５、５６の高さｈが高くなると、照射幅Ｗが大きくなる一方、照度の最大値Ｉが小さくなる。一方、照明灯５５、５６の高さｈが低くなると、照射幅Ｗが小さくなる一方、照度の最大値Ｉが大きくなる。図５Ａに示すように、照明灯５５ｂより僅かに高さ位置が低い照明灯５５ａからの光は、照明灯５５ｂに比較して照度の最大値Ｉａ１が僅かに大きく、照射幅Ｗａ１が僅かに小さい。なお、第２傾斜面５３２からの反射光は、照明灯５５ａの外側部分に照射される。照明灯５６ａ、５６ｂ及び第２傾斜面５４２についても同様である。
【００４４】
図４Ａに示す照射態様の場合、照明灯５５ａ（５６ａ）、５５ｂ（５６ｂ）は、殆ど変らない高さに配置されるため、図５Ａに示すように、殆ど同一の照度、且つ、殆ど同一の照射幅の光が栽培床３に対して照射される。これにより、栽培床４に配置された植物４に対して均等に光を照射することが可能となる。このように光を照射する態様では、栽培床３にて単一の種類の植物４を栽培する生育環境や、植物４を栽培し始める生育環境に適している。この場合には、単一の種類の植物４に均等に光を照射することができ、植物４における同等の生育状態を確保することができる。
【００４５】
一方、図４Ｂに示す照射態様の場合、照明灯５５ａは、照明灯５５ｂよりも低い位置に配置される。また、図４Ａに示す照射態様と比べて、照明灯５５ａは下方側に移動し、照明灯５５ｂは上方側に移動する。このため、図５Ｂに示すように、照明灯５５ａからの光は、照度が最大値Ｉａ１よりも大きい最大値Ｉａ２となり、照射幅がＷａ１より小さいＷａ２となる。一方、照明灯５５ｂからの光は、照度が最大値Ｉｂ１よりも小さい最大値Ｉａ２となり、照射幅がＷａ１より大きいＷａ２となる。照明灯５６ａ、５６ｂについても同様である。
【００４６】
図４Ｂに示す照射態様の場合、照明灯５５ａ（５６ａ）は、照明灯５５ｂ（５６ｂ）より低い位置に配置されるため、図５Ｂに示すように、栽培床３の中央側に集中すると共に、照明灯５５ａ、５６ａの下方における照度が大きい光が照射される。これにより、栽培床４の中央部分に集中して光を照射すると共に、局部的に照度が大きい光を照射することが可能となる。このように光を照射する態様では、複数の種類の植物４を栽培する生育環境や、植物４がある程度成長し、集中的に光の照射が必要な生育環境に適している。例えば、照明灯５５ａ（５６ａ）の下方側に相対的に短い期間で成長させたい植物４や、相対的に照度が大きな光を必要とする植物４が配置される一方、照明灯５５ｂ（５６ｂ）の下方側に相対的に長い期間で成長させたい植物４が配置される。この場合には、共通の栽培床３において、異なる種類の植物４や、異なる成長速度の植物４の生育環境を確保することができる。
【００４７】
このように第１の実施の形態に係る照明ユニット５によれば、照明灯５５、５６を支持する一対のフレーム５１、５２の内側端部が回動可能に連結されると共に、各フレーム５１、５２が左右方向の中央部よりも連結部分側で吊り下げられることから、一方のフレーム５１（５２）を引き下げるだけで、一対の吊下部材５７、５８の内側に配置される連結部分を持ち上げると共に、他方のフレーム５２（５１）を下方側に移動させることができる。一方、一方のフレーム５１（５２）を引き上げるだけで、一対の吊下部材５７、５８の内側に配置される連結部分を引き下ろすと共に、他方のフレーム５２（５１）を上方側に移動させることができる。これにより、一対のフレーム５１、５２に支持される照明灯５５、５６の位置を上下方向に移動させることができる。なお、一対のフレーム５１、５２は、吊下部材５７、５８により吊り下げられるだけであり、モータ等の特別な構成は必要としない。これにより、煩雑な作業を必要とすることなく、安価に植物４に対する照明灯５５、５６の高さを調整することができる。
【００４８】
照明ユニット５においては、一対のフレーム５１、５２の連結部分側から外側部分に向けて下方側に傾斜する第１傾斜面５３１、５４１が光反射シート５３、５４に形成されている。このため、一対のフレーム５１、５２が連結された状態において、光反射シート５３、５４が栽培床３の中央側に向いた状態で配置される。これにより、一対のフレーム５１、５２に固定された光反射シート５３、５４全体で栽培床３を覆うようなドーム形状を構成でき、栽培床３の植物４に対して反射光を含む光を効果的に照射することができる。
【００４９】
また、光反射シート５３、５４には、各フレーム５１、５２の外側端部（連結部５１３、５２３）の外側に第１傾斜面５３１、５４１よりも大きく傾斜する第２傾斜面５３２、５４２が形成されている。このため、フレーム５１、５２の外側端部から側方側に進もうとする光（反射光を含む）を栽培床３側に反射させることができる。これにより、栽培床３の植物４に対して反射光を含む光を更に効果的に照射することができる。
【００５０】
さらに、照明ユニット５において、一対のフレーム５１、５２は、トルクヒンジ５９を介して連結されている。このため、一方のフレーム５１（５２）を引き下げた場合（引き上げた場合）に、トルクヒンジが発生するトルクにより任意の高さ位置で一対のフレーム５１、５２を停止させることができる。これにより、一対のフレーム５１、５２の高さ位置を設定するための作業を省略でき、照明灯５５、５６の高さ位置の調整作業を効率化することができる。
【００５１】
なお、上記実施の形態においては、トルクヒンジ５９を介して一対のフレーム５１、５２を連結する場合について説明している。しかしながら、一対のフレーム５１、５２を連結する構成については、トルクヒンジ５９に限定されるものではなく適宜変更が可能である。一対のフレーム５１、５２の連結部分は、互いを所望の角度に連続的又は段階的に配置できることを条件として任意の構成を適用することができる。
【００５２】
図６は、第１の実施の形態に係る照明ユニット５の連結部分の変形例の説明図である。図６に示す照明ユニット５においては、フレーム５１、５２の一方に支持溝部としてのリンク溝を設ける一方、フレーム５１、５２の他方に係合部としてのリンクピンを設ける構成について示している。図６Ａには、フレーム５１、５２を連結する前の状態を示している。図６Ｂには、正面視にて、フレーム５１、５２を下方側に最も傾斜させた状態を示し、図６Ｃには、正面視にて、フレーム５１、５２を略水平とした状態を示している。なお、図６においては、上記実施の形態と共通する構成については、同一の符号を付し、その説明を省略する。
【００５３】
図６に示すように、フレーム５１の枠部５１１（５１２）の右方側端部には、リンク溝ＬＣ１、ＬＣ２が設けられている。リンク溝ＬＣ１、ＬＣ２は、照明ユニット５の左右方向に離間して配置される。リンク溝ＬＣ１は、上下方向に延在する縦溝部ＬＣ１１と、この縦溝部ＬＣ１１から右方側に延びる複数（ここでは、４つ）の横溝部ＬＣ１２と有し、段階的にフレーム５２の角度を変えて支持可能な形状を有する。リンク溝ＬＣ２は、リンク溝ＬＣ１の縦溝部ＬＣ１１の上下方向の中央近傍に配置され、照明ユニット５の左右方向に延びる長孔で構成される。
【００５４】
一方、フレーム５２の枠部５２１（５２２）の左方側端部には、リンク溝ＬＣ１、ＬＣ２に挿通されるリンクピンＬＰ１、ＬＰ２が設けられている。リンクピンＬＰ１、ＬＰ２は、照明ユニット５の左右方向に離間して配置される。枠部５２１において、リンクピンＬＰ１、ＬＰ２は、枠部５２１の前面から照明ユニット５の前方側に突出して形成される、枠部５２２において、リンクピンＬＰ１、ＬＰ２は、枠部５２２の後面から照明ユニット５の後方側に突出して形成される。
【００５５】
図６Ｂ、図６Ｃに示すように、リンクピンＬＰ１、ＬＰ２は、それぞれリンク溝ＬＣ１、ＬＣ２に収容される。なお、フレーム５１、５２の角度を調整する際には、リンクピンＬＰ１が縦溝部ＬＣ１１内で上下移動されると共に、所望の横溝部ＬＣ１２に配置される。このとき、リンクピンＬＰ２は、リンクピンＬＰ１の位置に応じてリンク溝ＬＣ２内で左右方向に移動する。
【００５６】
正面視にて、フレーム５１、５２を最も傾斜させた状態とする場合には、図６Ｂに示すように、リンクピンＬＰ１がリンク溝ＬＣ１の最も上方側の横溝部ＬＣ１２に配置される。一方、正面視にて、フレーム５１、５２を略水平状態とする場合には、図６Ｃに示すように、リンクピンＬＰ１がリンク溝ＬＣ１の下方側から二番目の横溝部ＬＣ１２に配置される。例えば、このようなリンクピンＬＰ１の位置調整は、植物栽培システム１を管理する管理者がフレーム５１、５２を把持することで行われる。
【００５７】
変形例に係る照明ユニット５においては、フレーム５１に設けられたリンク溝ＬＣにより、段階的に角度を変えてフレーム５２が支持されることから、一対のフレーム５１、５２の高さ位置を所定位置に設定することができる。これにより、一対のフレーム５１、５２の高さ位置を設定するための作業を簡素化でき、照明灯５５、５６の高さ位置の調整作業を効率化することができる。
【００５８】
（第２の実施の形態）
第２の実施の形態に係る照明ユニット５においては、照明灯５からの光の照射に伴い発生する熱気を照明ユニット５の上方側に流出させる点で、第１の実施の形態に係る照明ユニット５と相違する。以下、第２の実施の形態に係る照明ユニット５に関し、第１の実施の形態との相違点を中心に説明する。なお、第２の実施の形態に係る照明ユニット５は、図１に示す植物栽培システム１に適用される。
【００５９】
図７は、第２の実施の形態に係る照明ユニット５の斜視図である。図７において、図２と共通の構成については、同一の符号を付与し、その説明を省略する。図７に示すように、第２の実施の形態に係る照明ユニット５は、光反射シート５３、５４の所定位置に、それぞれ通気孔５３４、５３５、通気孔５４４、５４５が形成される点で、第１の実施の形態と相違する。
【００６０】
通気孔５３４は、光反射シート５３の第１傾斜面５３１であって、照明灯５５ｂの背面側（上方側）に配置されている。通気孔５３４は、照明灯５５ｂの延在方向に沿って複数個形成され、それぞれが光反射シート５３を貫通している。一方、通気孔５３５は、光反射シート５３の第１傾斜面５３１であって、照明灯５５ａよりも僅かに右方側（フレーム５２との連結部分（トルクヒンジ５９）側）に配置されている。通気孔５３５は、通気孔５３４と同様に、照明灯５５ａの延在方向に沿って複数個形成され、それぞれが光反射シート５３を貫通している。
【００６１】
同様に、通気孔５４４は、光反射シート５４の第１傾斜面５４１であって、照明灯５６ｂの背面側（上方側）に配置されている。通気孔５４４は、照明灯５６ｂの延在方向に沿って複数個形成され、それぞれが光反射シート５４を貫通している。一方、通気孔５４５は、光反射シート５４の第１傾斜面５４１であって、照明灯５６ａよりも僅かに左方側（フレーム５１との連結部分（トルクヒンジ５９）側）に配置されている。通気孔５４５は、通気孔５４４と同様に、照明灯５６ａの延在方向に沿って複数個形成され、それぞれが光反射シート５４を貫通している。
【００６２】
照明灯５５、５６の発光に伴い発生した熱気は、通気孔５３４、５３５及び通気孔５４４、５４５を通じて光反射シート５３、５４の上方側に移動する。これにより、照明灯５５、５６の発光に伴い発生した熱気が照明ユニット５の下方側で滞留するのを防止することができる。この結果、照明ユニット５の下方側の空間が植物４の栽培に適した温度を超えた栽培環境になるのを予防でき、植物４の生育を阻害する事態の発生を防止することができる。
【００６３】
また、通気孔５３５、５４５は、フレーム５１、５２の外側に支持された照明灯５５ａ、５６ａよりも内側に配置される第１傾斜面５３１、５４１に形成されている。これらの照明灯５５ａ、５６ａの発光に伴い発生した熱気は、第１傾斜面５３１、５４１の傾斜に沿って上方側に進む。通気孔５３５、５４５は、これらの熱気の移動経路上に配置されていることから、効率的に熱気を照明ユニット５の上方側に流出させることができる。
【００６４】
特に、光反射シート５３では、連結部５１３の外側に第２傾斜面５３２が設けられている。これらの第２傾斜面５３２は、第１傾斜面５３１よりも下方側への傾斜角度が大きいため、照明灯５５ａの発光に伴い発生した熱気が滞留し易くなる。このような熱気の滞留を防止すべく、本実施の形態では通気孔５３５を照明灯５５ａの近傍に配置している。光反射シート５４に形成した通気孔５４５についても同様である。
【００６５】
ここで、照明ユニット５の照明灯５５ａの近傍の熱気の流れについて、図８を参照して説明する。図８は、第２の実施の形態に係る照明ユニット５の照明灯５５ａの近傍を拡大した模式図である。図８Ａは、通気孔５３５を光反射シート５３に形成した場合を示し、図８Ｂは、通気孔５３５を光反射シート５３に形成しない場合を示している。なお、図８においては、説明の便宜上、照明灯５５ａの発光に伴い発生する熱気を矢印Ａで示し、照明ユニット５の外側を流れる冷気を矢印Ｂで示している。照明ユニット５の照明灯５６ａの近傍の熱気の流れについては、熱気が流れる方向を除き、同様になるため、その説明を省略する。
【００６６】
光反射シート５３に通気孔５３５が形成されていない場合、照明灯５５ａの発光に伴い発生した熱気は、図８Ｂに示すように、照明灯５５ａの周囲を循環するように流れる。照明灯５５ａの下方側の領域では、フレーム５１の内側から第２傾斜面５３２の内壁面に向かって熱気が略水平に流れた状態となる。照明灯５５ａの下方で水平に流れ、第２傾斜面５３２に到達した熱気は、第２傾斜面５３２の下側を迂回して外側に流出する。この場合、照明ユニット５を流れる外側の冷気は、照明ユニット５の内側に入り込み難くなり、照明ユニット５の下方側に熱気が滞留し易くなる。
【００６７】
一方、光反射シート５３に通気孔５３５が形成される場合、照明灯５５ａの発光に伴い発生した熱気は、図８Ａに示すように、光反射シート５３の第１傾斜面５３１に沿って上方側に進み、通気孔５３５から照明ユニット５の上方側に流出する。このとき、第２傾斜面５３２の下方側の領域には、通気孔５３５からの熱気の流出に伴って照明ユニット５の外側の冷気が導入され、照明ユニット５の下方側の熱気と撹拌される。この結果、照明灯５５ａの周辺に熱気が滞留するのを効果的に防止することができる。
【００６８】
このように第２の実施の形態に係る照明ユニット５においては、第１傾斜面５３１におけるフレーム５１の外側端部近傍に通気孔５３４、５３５が形成されることから、第２傾斜面５３２を設けることでフレーム５１の外側端部の下方近傍に滞留する熱気を光反射シート５３の上方側に流出させることができる。これにより、一対のフレーム５１、５２の下方側に熱気が滞留する事態を回避できるので、照明ユニット５の下方側の空間が植物４の栽培に適した温度を超えた栽培環境になるのを予防でき、植物４の生育を阻害する事態の発生を防止することができる。
【００６９】
特に、光反射シート５３における照明灯５５ａの上方側の位置に通気孔５３５が形成されることから、照明灯５５ａの発光に伴い発生する熱気を効果的に光反射シート５３の上方側に流出することができる。これにより、外側の冷気を照明ユニット５の下方側に導入することができるので、照明ユニット５の下方側の空間の温度を効果的に冷やすことができる。
【００７０】
（第３の実施の形態）
第２の実施の形態に係る照明ユニット５は、光反射シート５３を貫通する複数の通気孔５３５、５４５を形成し、照明灯５５ａ、５６ａの発光に伴い発生する熱気を流出させている。第３の実施の形態に係る照明ユニット５は、照明灯５５ａ、５６ａの発光に伴い発生する熱気を流出させると共に、照明灯５５ａ、５６ａからの光が光反射シート５３の上方側に漏れ出るのを防止する点で、第２の実施の形態と相違する。以下、第３の実施の形態に係る照明ユニット５に関し、第２の実施の形態との相違点を中心に説明する。なお、第３の実施の形態に係る照明ユニット５は、図１に示す植物栽培システム１に適用される。
【００７１】
図９は、第３の実施の形態に係る照明ユニット５の斜視図及び部分拡大図である。なお、図９において、図２、図７と共通の構成については、同一の符号を付与し、その説明を省略する。図９に示すように、第３の実施の形態に係る照明ユニット５は、第２の実施の形態における通気孔５３５、５４５の位置に光反射機能付き通気孔５３６、５４６が形成される点で、第２の実施の形態と相違する。なお、図９Ｂでは、照明ユニット５の光反射機能付き通気孔５３６の周辺を拡大して示している。
【００７２】
光反射機能付き通気孔５３６は、光反射シート５３の第１傾斜面５３１であって、照明灯５５ａよりも僅かに右方側（フレーム５２との連結部分（トルクヒンジ５９）側）に配置されている。光反射機能付き通気孔５３６は、例えば、切込み及び傾斜曲げを可能とするプレス加工（フォーム加工）により形成される。光反射機能付き通気孔５３６は、照明灯５５ａの延在方向に沿って複数個形成され、それぞれが光反射シート５３を貫通している。なお、光反射機能付き通気孔５４６についても同様である。
【００７３】
図９Ｂに示すように、光反射機能付き通気孔５３６は、第１傾斜面５３１を貫通する通気孔５３６ａと、第１傾斜面５３１から上方側に突出して形成され、通気孔５３６ａの上方側で照明ユニット５の内側に開口するフード（反射部）５３６ｂとを有する。通気孔５３６ａは、照明ユニット５の前後方向に僅かに長い長孔形状を有している。フード５３６ｂは、反射部を構成するものであり、左方側端部が第１傾斜面５３１に接続され、右方側端部が第１傾斜面５３１から上方側に僅かに離間して配置されている。フード５３６ｂの右方側端部は、正面視にて、通気孔５３６ａの右方側端部と同一の位置に配置される（図９参照）。なお、フード５３６ｂの内壁面は、光反射シート５３の下面と同一の構成を有するため、照明灯５５ａからの光を反射可能である。
【００７４】
図１０は、第３の実施の形態に係る照明ユニット５の照明灯５５ａの近傍を拡大した模式図である。図１０においては、照明灯５５ａからの光が進む方向を実線の矢印で示し、照明灯５５ａの発光に伴い発生する熱気の流れを破線の矢印で示している。なお、照明灯５６ａの周辺の光の方向及び熱気の流れは、照明灯５６ａと光反射機能付き通気孔５４６との配置に基づく方向を除き、照明灯５５ａと同一となるため説明を省略する。
【００７５】
照明灯５５ａの発光に伴い発生する熱気は、第２の実施の形態と同様に、通気孔５３６ａから照明ユニット５の上方側に流出する。特に、第３の実施の形態においては、通気孔５３６ａが照明灯５５ａの近傍であって、光反射シート５３１の上方側に配置されるため、熱気を直接的に流出させ易く、照明ユニット５の下方側で滞留するのを効果的に防止することができる。
【００７６】
一方、照明灯５５ａからの光は、下方側に向けて直接的に不図示の栽培床３に進むものや、光反射シート５３１の第２傾斜面５３２で反射して下方側に進むもの、並びに、上方側に向けて光反射シート５３１に反射して下方側に進むものが含まれる。しかしながら、光反射機能付き通気孔５３６の通気孔５３６ａに向けて進むものは、照明ユニット５の上方に漏れ出ようとする。
【００７７】
光反射機能付き通気孔５３６のフード５３６ｂは、このように照明ユニット５の上方に漏れ出ようとする光の進行方向の経路上に配置されている。このため、上方に漏れ出ようとした光は、フード５３６ｂの内壁面で反射され、照明ユニット５の下方側に戻される。そして、下方側に配置された栽培床３に進むこととなる。
【００７８】
このように第３の実施の形態に係る照明ユニット５においては、照明灯５５ａの近傍に光反射機能付き通気孔５３６が設けられている。このため、光反射シート５３の上方側に漏れる照明灯５５ａからの光が、光反射機能付き通気孔５３６のフード５３６ｂにより照明ユニット５の下方側に反射される。これにより、照明灯５５ａの発光に伴い発生する熱気を照明ユニット５の上方側に流出させつつ、照明灯５５ａからの光が光反射シート５３の上方側に漏れて照射効率が低下するのを防止することができる。
【００７９】
なお、本発明は上記実施の形態に限定されず、さまざまに変更して実施可能である。上記実施の形態において、添付図面に図示されている部材や孔などの大きさや形状などについては、これに限定されず、本発明の効果を発揮する範囲内で適宜変更が可能である。その他、本発明の目的の範囲を逸脱しない限りにおいて適宜変更して実施可能である。
【００８０】
例えば、上記実施の形態に係る照明ユニット５においては、光反射シート５３、５４に外側に向けて僅かに傾斜する第１傾斜面５３１、５４１を設ける場合について説明している。しかしながら、光反射シート５３、５４の構成については、この構成に限定されるものではなく適宜変更が可能である。例えば、第１傾斜面５３１、５４１の代わりに照明ユニット５の左右方向に延びる水平面を備えるようにしてもよい。
【００８１】
また、上記実施の形態に係る照明ユニット５においては、光反射シート５３、５４に第１傾斜面５３１、５４１よりも下方側に大きく傾斜する第２傾斜面５３２、５４２を設ける場合について説明している。しかしながら、光反射シート５３、５４の構成については、この構成に限定されるものではなく適宜変更が可能である。例えば、第２傾斜面５３２、５４２については、適宜省略してもよい。
【００８２】
さらに、上記第２の実施の形態に係る照明ユニット５においては、光反射シート５３（５４）の上端部近傍及び下端部近傍に通気孔５３４、５３５（５４４、５４５）を形成する場合について説明している。しかしながら、光反射シート５３（５４）の構成については、これに限定されるものではなく適宜変更が可能である。例えば、更に通気孔を追加して設けてもよく、通気孔５３４、５３５の配置を変更してもよい。
【００８３】
以上説明したように、本発明は、煩雑な作業を必要とすることなく、安価に栽培物に対する照明灯の高さを調整することができるという効果を有し、特に、人工光型植物工場に設置される照明装置に有用である。
【符号の説明】
【００８４】
１  植物栽培システム
２  ラック
３  栽培床
４  植物
５  照明ユニット
５１  フレーム
５１１、５１２  枠部
５１１ａ、５１２ａ  屈曲部
５１３、５１４  連結部
５１４ａ  吊下孔
５１５  平面部
５２  フレーム
５２１、５２２  枠部
５２１ａ、５２２ａ  屈曲部
５２３、５２４  連結部
５２４ａ  吊下孔
５２５  平面部
５３、５４  光反射シート
５３１  第１傾斜面
５３２  第２傾斜面
５３３  第３傾斜面
５３４、５３５  通気孔
５３６  光反射機能付き通気孔
５４１  第１傾斜面
５４２  第２傾斜面
５４３  第３傾斜面
５４４、５４５  通気孔
５４６  光反射機能付き通気孔
５５、５５ａ、５５ｂ  照明灯
５６、５６ａ、５６ｂ  照明灯
５７、５８  吊下部材
５９  トルクヒンジ
【図１】
2018201443.tif 000003
【図２】
2018201443.tif 000004
【図３】
2018201443.tif 000005
【図４】
2018201443.tif 000006
【図５】
2018201443.tif 000007
【図６】
2018201443.tif 000008
【図７】
2018201443.tif 000009
【図８】
2018201443.tif 000010
【図９】
2018201443.tif 000011
【図１０】
2018201443.tif 000012